(57)【要約】【課題】修正が必要なフォトマスクの欠陥を、正確かつ容易に検出することを可能にする。【解決手段】画像センサ７から、マスクパターンの光透過領域および遮光領域を含む所定領域の光学画像データを取得するデータ取得部１１と、取得した光学画像データから、マスクパターンの形状および欠陥の情報とともに、上記所定領域内での欠陥の数である欠陥の密度を検出する情報検出部１２と、検出したマスクパターンの形状および欠陥の情報と欠陥の密度の情報とに基づいて、情報検出部１２で検出したマスクパターンの欠陥に対する修正の要否の判定を行う演算部１３とを備えている。【選択図】図１
2007315811.tif 000002
【特許請求の範囲】
【請求項１】
光透過領域および遮光領域を有するフォトマスクの、マスクパターンの形状および欠陥の情報をもとにマスクパターンの欠陥に対する修正の要否を判定する欠陥検査装置であって、
上記マスクパターンの光学像を検出する画像センサから、上記マスクパターンの上記光透過領域および遮光領域を含む所定領域の上記光学像のデータである光学画像データを取得する取得手段と、
上記取得手段で取得した上記光学画像データから、上記マスクパターンの形状および欠陥の情報とともに、上記所定領域内での欠陥の数である欠陥の密度を検出する情報検出手段と、
上記情報検出手段で検出した上記マスクパターンの形状および欠陥の情報と上記欠陥の密度の情報とに基づいて、上記情報検出手段で検出したマスクパターンの欠陥に対する修正の要否の判定を行う演算手段とを備えていることを特徴とする欠陥検査装置。
【請求項２】
前記判定の結果、前記マスクパターンの欠陥に修正が必要であった場合に、上記マスクパターンの欠陥を修正する修正手段に対して、修正を行わせる指示を送る修正指示手段をさらに備えていることを特徴とする請求項１に記載の欠陥検査装置。
【請求項３】
前記演算手段は、前記マスクパターンの形状および欠陥の情報、ならびに前記欠陥の密度の情報とマスクパターンの欠陥に対する修正の要否の情報とが予め対応付けて格納されている記憶手段に照会を行い、前記情報検出手段で検出したマスクパターンの欠陥に対する修正の要否の判定を行うことを特徴とする請求項１または２に記載の欠陥検査装置。
【請求項４】
前記マスクパターンの形状および欠陥の情報は、形状の情報としてマスクパターンの線幅およびマスクパターン間の間隔の情報を含んでおり、欠陥の情報としてマスクパターンの欠陥の種類、欠陥のサイズ、および前記所定領域内のマスクパターンのエッジからの欠陥の距離の情報を含んでいることを特徴とする請求項１、２または３に記載の欠陥検査装置。
【請求項５】
前記記憶手段は、前記光透過領域中に存在する前記マスクパターンの欠陥に対しては、上記光透過領域のみのマスクパターンによる露光時の光強度と比較して露光時の光強度が２／３以下になる上記マスクパターンの欠陥を、前記修正の要否の情報のうちの修正の必要な欠陥の情報とし、前記遮光領域中に存在する前記マスクパターンの欠陥に対しては、上記光透過領域のみのマスクパターンによる露光時の光強度と比較して露光時の光強度が１／３以上になる上記マスクパターンの欠陥を、上記修正の必要な欠陥の情報として格納していることを特徴とする請求項３または４に記載の欠陥検査装置。
【請求項６】
前記記憶手段は、露光波長の１／２以上のサイズの前記マスクパターンの欠陥を、前記修正の要否の情報のうちの修正の不可能な欠陥の情報として前記パターン情報および前記欠陥情報に対応づけてさらに格納していることを特徴とする請求項４または５に記載の欠陥検査装置。
【請求項７】
前記記憶手段は、前記光透過領域中に存在する前記マスクパターンの欠陥のうち前記マスクパターンに接する上記マスクパターンの欠陥を、前記修正の不可能な欠陥の情報としてさらに格納していることを特徴とする請求項６に記載の欠陥検査装置。
【請求項８】
請求項１〜７のいずれか１項に記載の欠陥検査装置の備える前記各手段としてコンピュータを動作させるプログラム。
【請求項９】
請求項８記載のプログラムを記録したコンピュータ読取可能な記録媒体。
【請求項１０】
光透過領域および遮光領域を有するフォトマスクの、マスクパターンの形状および欠陥の情報をもとにマスクパターンの欠陥に対する修正の要否を判定する欠陥検査システムであって、
上記マスクパターンの光学像を検出する画像センサと、
上記マスクパターンの形状および欠陥の情報、ならびに上記光透過領域および遮光領域を含む所定領域内での欠陥の数である欠陥の密度の情報とマスクパターンの欠陥に対する修正の要否の情報とが予め対応付けて格納している記憶手段と、
上記画像センサから取得した上記所定領域の上記光学像のデータである光学画像データをもとに検出した上記マスクパターンの形状および欠陥の情報と上記密度の欠陥の情報とに基づいて、上記記憶手段に照会を行い、上記マスクパターンの欠陥に対する修正の要否の判定を行う欠陥検査装置とを備え、
上記欠陥検査装置は、請求項１〜７のいずれか１項に記載の欠陥検査装置であることを特徴とする欠陥検査システム。
【請求項１１】
光透過領域および遮光領域を有するフォトマスクの、マスクパターンの形状および欠陥の情報をもとにマスクパターンの欠陥に対する修正の要否を判定する欠陥検査方法であって、
記憶手段によって、上記マスクパターンの形状および欠陥の情報、ならびに上記光透過領域および遮光領域を含む所定領域内での欠陥の数である欠陥の密度の情報とマスクパターンの欠陥に対する修正の要否の情報とが予め対応付けて格納する記憶工程と、
画像センサによって、上記マスクパターンの光学像を検出する光学像検出工程と、
取得手段によって、上記マスクパターンの上記光透過領域および遮光領域を含む所定領域の上記光学像のデータである光学画像データを取得する取得工程と、
情報検出手段によって、上記取得工程で取得した上記光学画像データから、上記マスクパターンの形状および欠陥の情報とともに、上記密度の欠陥の情報を検出する情報検出工程と、
演算手段によって、上記情報検出工程で検出した上記マスクパターンの形状および欠陥の情報と上記密度の欠陥の情報とに基づいて、記憶手段に照会を行い、マスクパターンの欠陥に対する修正の要否の判定を行う演算工程とを含むことを特徴とする欠陥検査方法。
【請求項１２】
前記記憶工程は、前記フォトマスクを用いて露光したときにできるレジストパターンに対応する投影像を、前記フォトマスクを用いてシミュレーションする光強度シミュレーションを行うことによって、前記マスクパターンの形状および欠陥の情報、ならびに前記密度の欠陥の情報とマスクパターンの欠陥に対する修正の要否の情報とを対応付けていることを特徴とする請求項１１に記載の欠陥検査方法。
【請求項１３】
前記記憶工程は、前記マスクパターンの形状および欠陥の情報と前記密度の欠陥の情報とをもとにフォトマスクを作製し、実際に作製した上記フォトマスクを用いて露光を行うことによって、前記マスクパターンの形状および欠陥の情報、ならびに前記密度の欠陥の情報とマスクパターンの欠陥に対する修正の要否の情報とを対応付けていることを特徴とする請求項１１または１２に記載の欠陥検査方法。
【発明の詳細な説明】
【技術分野】
【０００１】
本発明は、半導体装置等の製造におけるリソグラフィー工程で用いられる欠陥検査装置、そのプログラムおよび記録媒体、欠陥検査システムならびに欠陥検査方法に関するものである。
【背景技術】
【０００２】
従来から半導体デバイスの高性能・低コスト化に最も有効な方法として半導体デバイスの微細化が行われてきた。そして、半導体デバイスの高速動作および低消費電力のために、半導体デバイスの微細化はますます進められている。上記半導体デバイスの微細化を支えている技術として、従来から知られているものにリソグラフィー技術がある。そして、リソグラフィー技術の中でも、フォトマスクは露光装置およびレジスト材料とともに重要な部分を担っている。
【０００３】
１３０ｎｍ世代のプロセス技術を用いて既に量産されている半導体デバイスでは、当初は波長１９３ｎｍのＡｒＦエキシマレーザが、露光のためのレーザ光源として適用されると考えられていた。しかし、波長２４８ｎｍのＫｒＦエキシマレーザが、レーザ光源として１３０ｎｍ世代よりも前のプロセス技術から引き続いて用いられた。そのため、ＡｒＦエキシマレーザは、１００ｎｍ世代から６５ｎｍ世代までのプロセス技術で使用されるとの予測となっている。上述したような光リソグラフィー技術の延命を支えているのが、ＯＰＣ（光近接効果補正）技術および位相シフトマスクなどのＲＥＴ（超解像技術）である。
【０００４】
ＲＥＴをフォトマスクに適用することによって、レーザ光源の露光波長を短波長化せずにマスクパターンの微細化を行うことが可能となる。微細なマスクパターンが形成されたフォトマスクでは、修正が必要な欠陥を正確かつ容易に検出できるマスクの検査技術が必要となる。しかしながら、従来のｄｉｅ―ｔｏ―ｄｉｅ比較検査方法およびｄｉｅ―ｔｏ―ｄａｔａ―ｂａｓｅ比較検査方法にはいくつかの問題点がある。
【０００５】
従来のｄｉｅ―ｔｏ―ｄｉｅ比較検査方法およびｄｉｅ―ｔｏ―ｄａｔａ―ｂａｓｅ比較検査方法では、フォトマスク欠陥がウエハ上に転写される場合の影響度、およびフォトマスク欠陥が半導体デバイス動作に与える影響度を考慮せずに行っている。具体的には、マスクパターンを作る場合の指針である各デザインルールに定められた管理寸法パターンにつき、一定サイズの欠陥スペックを検出すべき検査感度で１枚のフォトマスク全面の欠陥検査を行っている。例としては、ウエハ上に転写されるレジストパターンの寸法が管理寸法パターンの寸法から約１０％ずれる欠陥を一律に検出している。そして、検出された欠陥のすべてが修正され、再度フォトマスクの欠陥検査で無欠陥となるまで、何度も繰り返し欠陥検査および修正を行っている。
【０００６】
しかしながら、デザインルールによって定められたデータによって形成される微細なマスクパターンは、種々のパターンバリエーションをもっている。そして、上記パターンバリエーションごとに、フォトマスク欠陥がウエハ上に転写される影響度が異なっている。また、半導体デバイス動作に与える影響度もマスクパターンの配置次第で異なっている。
【０００７】
つまり、従来のｄｉｅ―ｔｏ―ｄｉｅ比較検査方法およびｄｉｅ―ｔｏ―ｄａｔａ―ｂａｓｅ比較検査方法によるフォトマスク検査では、ウエハ上に転写影響を与える箇所の欠陥なのか、ウエハ上に転写影響を与えない箇所の欠陥なのかを区別せずに、各フォトマスク製造工程にそれぞれ定められた一律の検査条件でフォトマスク欠陥の検査が行われている。従って、従来のｄｉｅ―ｔｏ―ｄｉｅ比較検査方法およびｄｉｅ―ｔｏ―ｄａｔａ―ｂａｓｅ比較検査方法によるフォトマスク検査では、必要以上の検査が行われているといえる。
【０００８】
ＲＥＴに対応するために、フォトマスクの製造にはますます高精度の加工技術が必要になっており、開発課題が増大している。また、複雑なＯＰＣ技術の適用によって、フォトマスクのマスクパターンデータの容量も急激に増大している。従って、フォトマスク製造のコスト増大の問題が、最近特に重要視されている。さらに、フォトマスク検査での必要以上の検査は、フォトマスク製造時のコスト増大の原因として重要な問題になっている。
【０００９】
これに対して、例えば、特許文献１では、フォトマスク欠陥のパターンエッジまでの距離とサイズとの検出、およびフォトマスク欠陥のうちのＣｒ欠陥とシフター欠陥との区別を行った結果を考慮し、フォトマスク欠陥の修正に用いる方法が開示されている。また、特許文献２では、マスクパターンの線幅および間隔に予め対応づけられたフォトマスク欠陥のサイズと検出したフォトマスク欠陥のサイズとを比較することによって、修正が必要なフォトマスク欠陥を判断する方法が開示されている。
【特許文献１】特開平７−１３５２４４号公報（平成７年５月２３日公開）
【特許文献２】特開２００４−１２７７９号公報（平成１６年１月１５日公開）
【発明の開示】
【発明が解決しようとする課題】
【００１０】
しかしながら、特許文献１および特許文献２に開示の方法は、マスクパターンに対する１箇所のフォトマスク欠陥のみに基づいて、修正が必要なフォトマスク欠陥を判断する構成になっている。これによって生じる問題点について、以下で詳しく説明を行う。
【００１１】
まず、フォトマスク欠陥が、マスクパターンに対して２箇所以上あったとする。フォトマスク欠陥が、１箇所では露光する際に影響を及ぼさないサイズ、およびパターンエッジからの距離の欠陥であったとしても、フォトマスク欠陥の数が多くなったり、フォトマスク欠陥同士が隣接したりしてフォトマスク欠陥の密度が高くなれば、上記マスクパターンでの露光時の光強度分布は小さくなる。そして、上記マスクパターンでの露光に支障をきたすことになる。従って、１箇所では露光する際に影響を及ぼさないフォトマスク欠陥が、複数存在することによって、露光に支障をきたす欠陥となってしまう。
【００１２】
つまり、特許文献１および特許文献２に開示の方法によって、１箇所のフォトマスク欠陥が修正の必要のない欠陥（欠陥Ｘ）として判断された場合でも、欠陥Ｘに隣接して他の欠陥Ｘが存在した場合、欠陥Ｘは実際には修正が必要な欠陥となり得る。マスクパターンに対するフォトマスク欠陥は、現実的には複数箇所で生じる。従って、特許文献１および特許文献２に開示の方法を用いてフォトマスク欠陥の判断を行った場合、修正が必要なフォトマスク欠陥を正確に修正できない問題点が生じる。また、特許文献１および特許文献２に開示の方法を繰り返し行うことによって、フォトマスク欠陥を正確に修正できない問題点を解決しようとした場合でも、手間がかかるので、マスクコストが増大してしまう問題点を解決できない。
【００１３】
本発明は、上記従来の問題点に鑑みなされたものであって、その目的は、修正が必要なフォトマスクの欠陥を、正確かつ容易に検出することを可能にする欠陥検査装置、そのプログラムおよび記録媒体、欠陥検査システムならびに欠陥検査方法を提供することにある。
【課題を解決するための手段】
【００１４】
本発明の欠陥検査装置は、上記課題を解決するために、光透過領域および遮光領域を有するフォトマスクの、マスクパターンの形状および欠陥の情報をもとにマスクパターンの欠陥に対する修正の要否を判定する欠陥検査装置であって、上記マスクパターンの光学像を検出する画像センサから、上記マスクパターンの上記光透過領域および遮光領域を含む所定領域の上記光学像のデータである光学画像データを取得する取得手段と、上記取得手段で取得した上記光学画像データから、上記マスクパターンの形状および欠陥の情報とともに、上記所定領域内での欠陥の数である欠陥の密度を検出する情報検出手段と、上記情報検出手段で検出した上記マスクパターンの形状および欠陥の情報と上記欠陥の密度の情報とに基づいて、上記情報検出手段で検出したマスクパターンの欠陥に対する修正の要否の判定を行う演算手段とを備えていることを特徴としている。
【００１５】
上記の発明によれば、情報検出手段は、取得手段で画像センサから取得したマスクパターンの光透過領域および遮光領域を含む所定領域の光学像のデータから、マスクパターンの形状および欠陥の情報に加え、欠陥の密度の情報も検出している。また、演算手段では、マスクパターンの形状および欠陥の情報に加え、欠陥の密度の情報に基づいてマスクパターンの欠陥に対する修正の要否の判定を行っている。
【００１６】
よって、光透過領域および遮光領域を含む所定領域内に複数のマスクパターンの欠陥があった場合でも、検出手段で検出した欠陥の密度の情報を含む情報に基づいて、演算手段がマスクパターンの欠陥に対する修正の要否の判定を行う。つまり、欠陥の密度の情報に応じてマスクパターンの欠陥に対する修正の要否の情報を判定することになる。従って、上記所定領域内に複数のマスクパターンの欠陥があった場合でも、複数のマスクパターンの欠陥に対する修正の要否の判定を行うことができる。つまり、正確にマスクパターンの欠陥に対する修正の要否の判定を行うことができる。
【００１７】
また、一度で一箇所の欠損に対する修正の要否の判定しか行えない構成に比較して、本発明の欠陥検査装置では、一度で複数箇所の欠損を欠損の密度の情報として検出手段で検出し、容易にマスクパターンの欠陥に対する修正の要否の判定を行うことができる。その結果、修正が必要なフォトマスクの欠陥を、正確かつ容易に検出する欠陥検査装置を提供することを可能にする。
【００１８】
ところで、上記欠陥検査装置は、ハードウェアで実現してもよいし、プログラムをコンピュータに実行させることによって実現してもよい。具体的には、本発明に係るプログラムは、上記欠陥検査装置としてコンピュータを動作させるプログラムであり、本発明に係る記録媒体には、当該プログラムが記録されている。
【００１９】
これらのプログラムがコンピュータによって実行されると、当該コンピュータは、上記欠陥検査装置として動作する。したがって、上記欠陥検査装置と同様に、修正が必要なフォトマスクの欠陥を、正確かつ容易に検出することを可能にする。
【００２０】
また、本発明の欠陥検査装置では、前記判定の結果、前記マスクパターンの欠陥に修正が必要であった場合に、上記マスクパターンの欠陥を修正する修正手段に対して、修正を行わせる指示を送る修正指示手段をさらに備えていることが好ましい。
【００２１】
これにより、正確かつ容易に検出された、修正が必要なフォトマスクの欠陥に対して、修正手段によって修正を行う指示が送られるので、修正が必要なフォトマスクの欠陥に対して正確に修正が行われることになる。
【００２２】
また、本発明の欠陥検査装置では、前記演算手段は、前記マスクパターンの形状および欠陥の情報、ならびに前記欠陥の密度の情報とマスクパターンの欠陥に対する修正の要否の情報とが予め対応付けて格納されている記憶手段に照会を行い、前記情報検出手段で検出したマスクパターンの欠陥に対する修正の要否の判定を行うことが好ましい。
【００２３】
これにより、マスクパターンの形状および欠陥の情報、ならびに欠陥の密度の情報とマスクパターンの欠陥に対する修正の要否の情報とが予め対応付けて記憶手段に格納されているので、検出手段から得たマスクパターンの形状および欠陥の情報と欠陥の密度の情報とに基づいて、演算手段が記憶手段に照会を行うだけでマスクパターンの欠陥に対する修正の要否の情報を得ることができる。つまり、修正が必要なフォトマスクの欠陥を、演算手段によって、より容易に判定することが可能になる。
【００２４】
また、本発明の欠陥検査装置では、前記マスクパターンの形状および欠陥の情報は、形状の情報としてマスクパターンの線幅およびマスクパターン間の間隔の情報を含んでおり、欠陥の情報としてマスクパターンの欠陥の種類、欠陥のサイズ、および前記所定領域内のマスクパターンのエッジからの欠陥の距離の情報を含んでいることが好ましい。
【００２５】
なお、上記欠陥の距離とは、欠陥から最も近いマスクパターンと欠陥との距離である。
【００２６】
これにより、マスクパターンの線幅およびマスクパターン間の間隔の情報、マスクパターンの欠陥の種類、欠陥のサイズ、および欠陥の距離の情報、ならびに欠陥の密度の情報に基づいて、正確かつ容易にマスクパターンの欠陥に対する修正の要否の判定を演算手段で行うことが可能になる。
【００２７】
また、本発明の欠陥検査装置では、前記記憶手段は、前記光透過領域中に存在する前記マスクパターンの欠陥に対しては、上記光透過領域のみのマスクパターンによる露光時の光強度と比較して露光時の光強度が２／３以下になる上記マスクパターンの欠陥を、前記修正の要否の情報のうちの修正の必要な欠陥の情報とし、前記遮光領域中に存在する前記マスクパターンの欠陥に対しては、上記光透過領域のみのマスクパターンによる露光時の光強度と比較して露光時の光強度が１／３以上になる上記マスクパターンの欠陥を、上記修正の必要な欠陥の情報として格納していることが好ましい。
【００２８】
なお、光透過領域のみのマスクパターンによる露光時の光強度と比較して露光時の光強度が２／３以下になる、光透過領域中に存在するマスクパターンの欠陥は、該マスクパターンから集積回路を作製した場合に電気的特性に影響を及ぼす危険性が高いことが知られている。また、光透過領域のみのマスクパターンによる露光時の光強度と比較して露光時の光強度が１／３以上になる、遮光領域中に存在するマスクパターンの欠陥も、該マスクパターンから集積回路を作製した場合に電気的特性に影響を及ぼす危険性が高いことが知られている。
【００２９】
これにより、マスクパターンから集積回路を作製した場合に電気的特性に影響を及ぼす危険性がある欠陥を、修正の必要な欠陥として記憶手段に格納しているので、マスクパターンから集積回路を作製した場合に電気的特性に影響を及ぼす危険性がある欠陥を演算手段で判定することが可能になる。
【００３０】
また、本発明の欠陥検査装置では、前記記憶手段は、露光波長の１／２以上のサイズの前記マスクパターンの欠陥を、前記修正の要否の情報のうちの修正の不可能な欠陥の情報として前記パターン情報および前記欠陥情報に対応づけてさらに格納していることが好ましい。
【００３１】
これにより、マスクパターンの欠陥に対する修正の要否だけでなく、修正が不可能であるかどうかを演算手段が判定するので、修正が不可能な欠陥を、修正が必要な欠陥として判定することがなくなる。つまり、修正が不可能な欠陥を修正が必要な欠陥として判定することによって生じる、修正が不可能な欠陥に対しての修正の無駄を省くことを可能にする。よって、フォトマスクの検査回数の低減、およびフォトマスクの修正回数の低減が可能となり、フォトマスク作成期間の短縮が可能となる。また、フォトマスク再作製の低減もなされるので、フォトマスク作製での歩留まりも向上し、フォトマスク作製のコスト削減も可能となる。
【００３２】
なお、マスクパターンの欠陥を修正する方法として主流のものは、レーザ修正法であり、マスクパターンの欠陥の修正時には、マスクパターンの欠陥の部分にレーザを照射し、瞬間的に欠陥部の異物（例えばＣｒ膜）を蒸発させている。この際、マスクパターンの欠陥が露光波長の１／２以上のサイズである場合には、マスクパターンの欠陥を修正するまでに繰り返すレーザ照射によって、修正箇所の基板（例えばガラス基板）に透過率の低下を引き起こす可能性の高いダメージを与えることになる。従って、露光波長の１／２以上のサイズのマスクパターンの欠陥を、修正の不可能な欠陥の情報としてパターン情報および欠陥情報に対応づけて格納することによって、修正時に修正箇所の基板に透過率の低下を引き起こす可能性の高いダメージが生じるマスクパターンの欠陥を検出することが可能になる。
【００３３】
また、本発明の欠陥検査装置では、前記記憶手段は、前記光透過領域中に存在する前記マスクパターンの欠陥のうち前記マスクパターンに接する上記マスクパターンの欠陥を、前記修正の不可能な欠陥の情報としてさらに格納していることが好ましい。
【００３４】
これにより、マスクパターンの欠陥の修正時にマスクパターンを傷つけてしまう可能性が高い、光透過領域中に存在するマスクパターンの欠陥のうちの、マスクパターンに接する欠陥を、修正の不可能な欠陥として検出することができる。
【００３５】
本発明の欠陥検査システムは、上記課題を解決するために、光透過領域および遮光領域を有するフォトマスクの、マスクパターンの形状および欠陥の情報をもとにマスクパターンの欠陥に対する修正の要否を判定する欠陥検査システムであって、上記マスクパターンの光学像を検出する画像センサと、上記マスクパターンの形状および欠陥の情報、ならびに上記光透過領域および遮光領域を含む所定領域内での欠陥の数である欠陥の密度の情報とマスクパターンの欠陥に対する修正の要否の情報とが予め対応付けて格納している記憶手段と、上記画像センサから取得した上記所定領域の上記光学像のデータである光学画像データをもとに検出した上記マスクパターンの形状および欠陥の情報と上記密度の欠陥の情報とに基づいて、上記記憶手段に照会を行い、上記マスクパターンの欠陥に対する修正の要否の判定を行う欠陥検査装置とを備え、上記欠陥検査装置は、前記のいずれかに記載の欠陥検査装置であることを特徴としている。
【００３６】
上記の発明によれば、修正が必要なフォトマスクの欠陥を、正確かつ容易に検出することが可能になる。
【００３７】
本発明の欠陥検査方法は、上記課題を解決するために、光透過領域および遮光領域を有するフォトマスクの、マスクパターンの形状および欠陥の情報をもとにマスクパターンの欠陥に対する修正の要否を判定する欠陥検査方法であって、記憶手段によって、上記マスクパターンの形状および欠陥の情報、ならびに上記光透過領域および遮光領域を含む所定領域内での欠陥の数である欠陥の密度の情報とマスクパターンの欠陥に対する修正の要否の情報とが予め対応付けて格納する記憶工程と、画像センサによって、上記マスクパターンの光学像を検出する光学像検出工程と、取得手段によって、上記マスクパターンの上記光透過領域および遮光領域を含む所定領域の上記光学像のデータである光学画像データを取得する取得工程と、情報検出手段によって、上記取得工程で取得した上記光学画像データから、上記マスクパターンの形状および欠陥の情報とともに、上記密度の欠陥の情報を検出する情報検出工程と、演算手段によって、上記情報検出工程で検出した上記マスクパターンの形状および欠陥の情報と上記密度の欠陥の情報とに基づいて、記憶手段に照会を行い、マスクパターンの欠陥に対する修正の要否の判定を行う演算工程とを含むことを特徴としている。
【００３８】
上記の発明によれば、修正が必要なフォトマスクの欠陥を、正確かつ容易に検出することが可能になる。
【００３９】
また、本発明の欠陥検査方法では、前記記憶工程は、前記フォトマスクを用いて露光したときにできるレジストパターンに対応する投影像を、前記フォトマスクを用いてシミュレーションする光強度シミュレーションを行うことによって、前記マスクパターンの形状および欠陥の情報、ならびに前記密度の欠陥の情報とマスクパターンの欠陥に対する修正の要否の情報とを対応付けていることが好ましい。
【００４０】
これにより、実際にマスクパターンを露光したときにできるパターンに対するマスクパターンの欠陥の影響を、光強度シミュレータによって正確に調べることができるので、マスクパターンの形状および欠陥の情報、ならびに前記密度の欠陥の情報とマスクパターンの欠陥に対する修正の要否の情報とを正確に対応付けることが可能になる。
【００４１】
また、本発明の欠陥検査方法では、前記記憶工程は、前記マスクパターンの形状および欠陥の情報と前記密度の欠陥の情報とをもとにフォトマスクを作製し、実際に作製した上記フォトマスクを用いて露光を行うことによって、前記マスクパターンの形状および欠陥の情報、ならびに前記密度の欠陥の情報とマスクパターンの欠陥に対する修正の要否の情報とを対応付けていることが好ましい。
【００４２】
これにより、実際にマスクパターンを露光したときにできるパターンに対するマスクパターンの欠陥の影響を、実際にパターン情報および欠陥情報をもとに作製されるフォトマスクを用いて露光を行うことによって正確に調べることができるので、マスクパターンの形状および欠陥の情報、ならびに前記密度の欠陥の情報とマスクパターンの欠陥に対する修正の要否の情報とを正確に対応付けることが可能になる。
【発明の効果】
【００４３】
本発明によれば、光透過領域および遮光領域を含む所定領域内に複数のマスクパターンの欠陥があった場合でも、欠陥の密度の情報に応じてマスクパターンの欠陥に対する修正の要否の情報を判定することになる。つまり、上記所定領域内に複数のマスクパターンの欠陥があった場合でも、正確にマスクパターンの欠陥に対する修正の要否の判定を行うことができる。また、一度で一箇所の欠損に対する修正の要否の判定しか行えない構成と比較して、本発明の欠陥検査装置では、一度で複数箇所の欠損を欠損の密度の情報として検出手段で検出し、容易にマスクパターンの欠陥に対する修正の要否の判定を行うことができる。したがって、修正が必要なフォトマスクの欠陥を、正確かつ容易に検出することを可能にするという効果を奏する。
【発明を実施するための最良の形態】
【００４４】
〔実施の形態１〕
本発明の一実施形態について図１ないし図１６に基づいて説明すれば、以下の通りである。
【００４５】
まず、本発明に係るフォトマスク５の検査方法の基本的な考え方について説明する。
【００４６】
図５中の上部の枠内は、フォトマスク５を示しており、領域３１ａ・３１ｂは露光波長以上のマスクパターンの線幅である大きなラインパターンが存在する領域を示し、３２は露光波長以下のマスクパターンの線幅である小さなラインパターンが存在する領域を示している。
【００４７】
同一サイズであるとともに同一形状であるフォトマスク５のマスクパターンの欠陥３０が、領域３１ｂ内および領域３２内に１箇所存在した場合の、ウエハ上に露光によって転写されるレジストパターン２１では、領域３２に発生した欠陥３０の方がウエハに与える転写影響度が大きくなる。逆に言えば、領域３１ｂに発生した欠陥３０は、転写影響度によっては、欠陥として扱う必要のない、無視できる欠陥となり得ることを表している。
【００４８】
上述のような転写影響度の差が生じる理由について、図５を用いて説明を行う。図５中の下部には、ＫｒＦエキシマレーザによる露光を施した場合の領域３１ｂおよび領域３２内の欠陥３０の光強度分布を示している。領域３２内の欠陥３０は、露光波長以下の小さなラインパターンに存在する欠陥であるので、領域３１ｂ内の欠陥３０よりも小さな光強度分布を示している。つまり、領域３１ｂ内の欠陥３０よりも領域３２ｂ内の欠陥３０の光強度分布が小さいために、上述の転写影響度に差が生じている。
【００４９】
従来のフォトマスク５の検査方法（装置）では、マスクパターンを作る場合の指針であるデザインルールが同じ場合、マスクパターンの欠陥の検出感度が全てのマスクパターンに対して同じに設定しているので、領域３１ｂおよび領域３２内の全ての欠陥３０を検出してしまうことになる。すなわち、領域３２内の欠陥３０を欠陥として検出するために、領域３２内の欠陥３０にマスクパターンの欠陥の検出感度を合わせると、欠陥として検出する必要のない領域３１ｂの欠陥３０まで検出してしまうこととなる。
【００５０】
続いて、欠陥として検出する必要のない領域３１ｂの欠陥３０を検出しないように、欠陥３０のサイズとマスクパターンのエッジからの欠陥３０の距離とに基づいて欠陥を検出する場合についての説明を行う。
【００５１】
同一サイズ、同一形状であるとともにマスクパターンのエッジからの距離も同じであるフォトマスク５のマスクパターンの欠陥３０が領域３１ｂ内に１箇所存在し、領域３１ａ内には３箇所存在する場合を例にして説明する。欠陥３０が密に配置されていた場合、フォトマスク５を透過する光量が低下し、十分なコントラストが取れないため、転写影響度が大きくなる。これに対して、欠陥３０が疎の場合には、欠陥３０が密な場合と比較すると欠陥３０周辺からフォトマスク５を透過する光量が多くなるため、転写影響度は相対的に小さくなる。また、この転写影響度の差は、ＲＥＴを用いる場合により顕著になる。以上から、ウエハ上に露光によって転写されるレジストパターン２１では、領域３１ａに発生した欠陥３０の方が、領域３１ｂに発生した欠陥３０よりもウエハに与える転写影響度が大きくなる。つまり、領域３１ｂ内の欠陥３０を欠陥として検出しないようにした場合、同一サイズ、同一形状であるとともにマスクパターンのエッジからの距離も同じである領域３１ａの欠陥３０のそれぞれも欠陥として検出されなくなる。よって、欠陥として検出する必要のある領域３１ａの欠陥３０まで検出されなくなってしまう。
【００５２】
そこで、本発明では、欠陥の種類、欠陥のサイズ、およびマスクパターンのエッジからの欠陥の距離に加えて、欠陥の密度の情報をマスクパターンの欠陥に対する修正の要否の判定に用いることによって、修正が必要な欠陥を正確かつ容易に検出することを可能にし、フォトマスク５の製造期間の短縮化を実現している。
【００５３】
次に、図３を用いて欠陥検査システム１の構成の概要について説明を行う。図３は本実施の形態における欠陥検査システム１の構成を示すブロック図である。
【００５４】
本実施の形態における欠陥検査システム１は、図３に示すように、光源２、集光レンズ３、ＸＹステージ４、フォトマスク５、対物レンズ６、画像センサ７、欠陥検査装置８、およびメモリ（記憶手段）９を備えている。また、フォトマスク５は、ＸＹステージ４に載置されていて他のフォトマスク５と入れ替え可能になっている。
【００５５】
光源２は、例えば水銀ランプ、アルゴンレーザ光源などであって、フォトマスク５に対して光を出射するものである。光源２としては、出射する光の波長を変更可能なものが好ましい。集光レンズ３は、光源２とフォトマスク５との間に配置するものであって、光源２から出射された光をフォトマスク５上に集光するためのものである。また、ＸＹステージ４は、フォトマスク５を載置するためのものであって、フォトマスク５を水平２軸方向（ＸＹ方向）へ移動可能にするためのものである。そして、対物レンズ６は、ＸＹステージ４を間に挟んで集光レンズ３の反対側に配置するものであって、フォトマスク５を透過した光を画像センサ７の受光面に結像させるためのものである。
【００５６】
フォトマスク５は、例えばガラス基板からなるものであって、光透過領域と遮光領域をマスクパターンとして有するものである。
【００５７】
画像センサ７は、例えばＣＣＤ（Charge Coupled Device）イメージセンサからなるもので、フォトマスク５を透過した光を受光して撮像することによって、フォトマスク５のマスクパターンの形状に応じたイメージデータ（光学像のデータ）を取得するものである。
【００５８】
欠陥検査装置８は、画像センサ７が取得した光学像からマスクパターンの欠陥を検出し、検出した欠陥に対する修正の要否を判定するものである。例えば、判定した結果を図示しない表示部に欠陥検査装置８が出力し、表示部に判定した結果を表示してもよい。
【００５９】
メモリ９は、マスクパターンの形状および欠陥の情報とともに、所定領域内での欠陥の数である欠陥の密度の情報をマスクパターンの欠陥に対する修正の要否の情報と予め対応付けて格納している。また、メモリ９は、フォトマスク５の欠陥のないマスクパターンのデータ、つまりフォトマスク５のマスクパターンの設計データも格納している。該マスクパターンの形状の情報としては、例えばフォトマスク５のマスクパターンの線幅、マスクパターン間の間隔の情報としてのパターン情報などがある。また、該マスクパターンの欠陥の情報としては、フォトマスク５のマスクパターンの欠陥の種類（欠陥種類）、欠陥のサイズ（欠陥サイズ）、光透過領域および遮光領域を含む所定領域内のマスクパターンのエッジからの欠陥の距離の情報としての欠陥情報などがある。
【００６０】
なお、上記欠陥の距離とは、欠陥から最も近いマスクパターン（後述する設計パターン２０）と欠陥との距離であり、以降欠陥の距離と記載する場合は上記欠陥の距離を示すものとする。また、上記所定領域とは光透過領域および遮光領域を含むフォトマスク５上の領域であって、パターン情報、欠陥情報および欠陥の密度の情報を検出するために任意に設定可能な領域である。
【００６１】
続いて、欠陥検査システム１での動作について説明を行う。
【００６２】
まず、光源２が光を出射する。続いて、出射された光は、集光レンズ３によってＸＹステージ４上に載置されたフォトマスク５の一部に集光される。そして、フォトマスク５を透過した光は、対物レンズ６によって画像センサ７の受光面に結像される。以上の過程によって、フォトマスク５上の光が集光された部分のマスクパターンの光学像のデータが、画像センサ７で取得されることになる。
【００６３】
続いて、画像センサ７で取得された光学像のデータから、光透過領域および遮光領域を含む所定領域の光学像のデータである光学画像データを欠陥検査装置８が取得する。このとき、画像センサ７が所定領域分だけ取得した光学像のデータを、該光学画像データとして欠陥検査装置８が取得する構成であってもよいし、画像センサ７が取得した光学像のデータのうちの所定領域分だけ欠陥検査装置８が取得することによって、該光学画像データを欠陥検査装置８が取得する構成であってもよい。
【００６４】
該光学画像データを取得した欠陥検査装置８は、該光学画像データからマスクパターンの形状および欠陥の情報とともに、欠陥の密度の情報を検出する。そして、検出したマスクパターンの形状および欠陥の情報と欠陥の密度の情報とをもとに、メモリ９に照会を行い、マスクパターンの欠陥に対する修正の要否の判定を行う。判定の結果が得られた後には、例えば、欠陥検査装置８が判定した結果を図示しない表示部に出力し、表示部に判定の結果が表示される。
【００６５】
次に、図１を用いて欠陥検査装置８の構成の概要について説明を行う。図１は本実施の形態における欠陥検査装置８の構成を示す機能ブロック図である。
【００６６】
欠陥検査装置８は、図１に示すように、データ取得部（取得手段）１１、情報検出部（情報検出手段）１２、および演算部（演算手段）１３を備えている。
【００６７】
データ取得部１１は、フォトマスク５のマスクパターンの該光学画像データを、画像センサ７から取得するものである。
【００６８】
情報検出部１２は、データ取得部１１で取得した光学画像データからパターン情報としてのマスクパターンの線幅およびマスクパターン間の間隔、欠陥情報としての上記マスクパターンの欠陥の種類、欠陥のサイズ、および上記所定領域内のマスクパターンのエッジからの欠陥の距離、ならびに上記所定領域内での欠陥の数である欠陥の密度の情報を検出するものである。詳しくは、メモリ９に予め格納されている設計データとデータ取得部１１で取得した光学画像データを比較することによって、パターン情報、欠陥情報、および欠陥の密度の情報を検出している。
【００６９】
演算部１３は、情報検出部１２から得られるパターン情報、欠陥情報および欠陥の密度の情報に基づいて、所定の手順に従って演算するものである。詳しくは、上記演算は、情報検出部１２から得られるパターン情報、欠陥情報および欠陥の密度の情報をもとに、メモリ９に照会を行い、マスクパターンの欠陥に対する修正の要否の判定を行うものである。そして、演算部１３で判定されたマスクパターンの欠陥に対する修正の要否の結果は、図示しない表示部に出力される。
【００７０】
次に、図２を用いて、演算部１３周辺の詳しい構成の一例についての説明を行う。図２に示すように、メモリ９は第１メモリ９ａと第２メモリ９ｂとからなっており、情報検出部１２は欠陥情報検出部１２ａと密度情報検出部１２ｂとからなっている。また、演算部１３は、欠陥情報演算部１３ａと密度情報演算部１３ｂと総合演算部１３ｃとからなっている。
【００７１】
第１メモリ９ａは、パターン情報および欠陥情報をマスクパターンの欠陥に対する修正の要否の情報と予め対応付けて格納している。これに対して第２メモリ９ｂは、パターン情報および欠陥の密度の情報をマスクパターンの欠陥に対する修正の要否の情報と予め対応付けて格納している。
【００７２】
欠陥情報検出部１２ａは、光学画像データからパターン情報と欠陥情報とを検出するものであり、密度情報検出部１２ｂは、光学画像データからパターン情報と欠陥の密度の情報とを検出するものである。
【００７３】
欠陥情報演算部１３ａは、欠陥情報検出部１２ａから得られるパターン情報および欠陥情報に基づいて、所定の手順に従って演算するものである。詳しくは、上記演算は、欠陥情報検出部１２ａから得られるパターン情報および欠陥情報をもとに、第１メモリ９ａに照会を行い、マスクパターンの欠陥に対する修正の要否の判定を行うものである。そして、欠陥情報演算部１３ａで判定されたマスクパターンの欠陥に対する修正の要否の結果は、総合演算部１３ｃに送られる。
【００７４】
密度情報演算部１３ｂは、密度情報検出部１２ｂから得られるパターン情報および欠陥の密度の情報に基づいて、所定の手順に従って演算するものである。詳しくは、上記演算は、密度情報検出部１２ｂから得られるパターン情報および欠陥の密度の情報をもとに、第２メモリ９ｂに照会を行い、マスクパターンの欠陥に対する修正の要否の判定を行うものである。そして、密度情報演算部１３ｂで判定されたマスクパターンの欠陥に対する修正の要否の結果は、総合演算部１３ｃに送られる。
【００７５】
総合演算部１３ｃは、欠陥情報演算部１３ａと密度情報演算部１３ｂとのそれぞれから送られたマスクパターンの欠陥に対する修正の要否の結果に基づいて、所定の手順に従って演算するものである。詳しくは、総合演算部１３ｃでは、欠陥情報演算部１３ａと密度情報演算部１３ｂとのそれぞれから送られたマスクパターンの欠陥に対する修正の要否の結果のうち、どちらか一方でも修正が必要な「致命的欠陥」との結果が得られた場合には、マスクパターンの欠陥に対する修正が必要な「致命的欠陥」であるとの判定を行うものである。そして、総合演算部１３ｃで判定されたマスクパターンの欠陥に対する修正の要否の結果は、図示しない表示部に出力される。
【００７６】
次に、図４を用いて、本実施の形態における欠陥検査装置８での動作フローについて以下に説明を行う。
【００７７】
まず、ステップＳ１では、フォトマスク５のマスクパターンの該光学画像データを、画像センサ７からデータ取得部１１が取得する。続いて、ステップＳ２では、取得した光学画像データからパターン情報、欠陥情報、および欠陥の密度の情報を情報検出部１２が検出する。そして、ステップＳ３では、検出したパターン情報、欠陥情報、および欠陥の密度の情報をもとにメモリ９への照会を演算部１３が行う。さらに、ステップＳ４では、マスクパターンの欠陥に対する修正の要否を、メモリ９への照会によって演算部１３が判定する。そして、ステップＳ５では、判定したマスクパターンの欠陥に対する修正の要否の結果を、演算部１３が図示しない表示部に出力する。
【００７８】
マスクパターンの欠陥に修正が必要な「致命的欠陥」とマスクパターンの欠陥に修正が必要でない「そうでない欠陥」とを欠陥検査装置８で判定するためには、予めメモリ９に欠陥検査装置８での判定に用いる情報を格納しておく必要がある。よって、マスクパターンの欠陥に対する修正の要否の判定に用いる情報を、予めメモリ９に格納する方法について図６ないし図８を用いて説明を行う。
【００７９】
まず、マスクパターンの欠陥の種類として、図６に示すようにフォトマスク５の光透過領域中に存在する点状の遮光領域からなる黒点Ａ、フォトマスク５の遮光領域中に存在する点状の光透過領域からなる白点Ｂ、フォトマスク５の光透過領域中に存在する線状の遮光領域からなるショートＣ、およびフォトマスク５の遮光領域中に存在する線状の光透過領域からなる断線Ｄがあるものとする。
【００８０】
また、フォトマスク５の欠陥のないマスクパターンのデータである設計データとしては、図６に示すような任意に設計したマスクパターンとしての設計パターン２０において、例えば、露光波長以上のマスクパターンの線幅である大きなラインパターンと、露光波長以下のマスクパターンの線幅である小さなラインパターンを配置する。そして、マスクパターン間の間隔をそれぞれ変化させるとともに、上記欠陥の種類ごとに欠陥のサイズを振り分けて設計データに欠陥の情報を含むマスク仕様書を作成する。また、上記欠陥のサイズを振り分けたマスク仕様書について、設計パターン２０のエッジからの欠陥の距離も振り分けたマスク仕様書を作成する。さらに、上記欠陥の距離も振り分けたマスク仕様書について、所定領域内での欠陥の数である欠陥の密度も振り分けたマスク仕様書を作成する。要するにマスクパターンの欠陥の種類、欠陥のサイズ、欠陥の距離、および欠陥の密度の情報を含むマスク仕様書を準備する。なお、本実施の形態においては、マスクパターンに欠陥のない設計データに欠陥の情報を加えたものをマスク仕様書とする。
【００８１】
欠陥の種類が黒点Ａである場合のマスク仕様書を図７に例として示す。図７に示すように、黒点Ａの欠陥に対して、欠陥のサイズ、および欠陥の距離が３段階に振り分けられている。また、欠陥の密度、マスクパターン間の間隔およびマスクパターンの線幅も図示してはいないが３段階に振り分けられている。黒点Ａ以外の欠陥の種類についても同様にマスク仕様書を作成する。例えば、白点Ｂの欠陥の場合には、黒点Ａの場合に対して光透過領域と遮光領域とを入れ替えてマスク仕様書の作成を行えばよい。
【００８２】
また、欠陥の種類がショートＣである場合のマスク仕様書を図８に例として示す。図８に示すようにショートＣの欠陥に対して、欠陥のサイズが３段階に振り分けられている。また、欠陥の密度およびパターンピッチも図示してはいないが３段階に振り分けられている。そして、欠陥の種類がショートＣの場合には、欠陥が設計パターン２０のエッジと接触しているので、欠陥の距離を一律として欠陥の距離が振り分けられていない。また、欠陥の種類がショートＣの場合は、欠陥のサイズはショートＣの太さに該当し、欠陥の密度はショートＣの本数に該当する。断線Ｄの欠陥の場合には、ショートＣの場合に対して光透過領域と遮光領域とを入れ替えてマスク仕様書の作成を行えばよい。
【００８３】
なお、本実施の形態においては、欠陥の種類ごとに欠陥のサイズ、欠陥の距離、欠陥の密度、マスクパターン間の間隔およびマスクパターンの線幅が３段階に振り分けられているが、必ずしもこれに限定されず、例えば、３段階よりも少なくすることも、３段階よりも多くすることも可能である。また、欠陥のサイズ、欠陥の距離、欠陥の密度、マスクパターン間の間隔およびマスクパターンの線幅ごとに振り分ける段階の数を変えることも可能である。
【００８４】
次に、上述のマスク仕様書をもとにした光シミュレーションによって、ウエハ上に転写されるパターンの評価を行う方法（光シミュレーションを用いる方法）、および実際にマスク仕様書をもとにフォトマスク５を作成し、露光を行うことによってウエハ上に転写されるパターンの評価を行う方法（実際に作製されたフォトマスク５を用いる方法）について説明を行う。
【００８５】
まず、実際に作製されたフォトマスク５を用いる方法によって、欠陥のサイズと欠陥の距離との関係ごとに、ウエハ上に転写されるパターンの評価を行う方法について、図９〜図１１を用いて説明を行う。
【００８６】
図９は、転写評価用マスクパターンを示している。ここでいうところの転写評価用マスクパターンとは、上述のマスク仕様書をもとに作成されるフォトマスク５のマスクパターンを示している。転写評価用マスクパターンとして、露光波長以上の大きなラインパターン１つと露光波長以下の小さなラインパターン２つとを配置したものを例として示す。設計パターン２０の間には、それぞれ同一サイズの欠陥として黒点Ａを配置している。
【００８７】
図１０は、図９の転写評価用マスクパターンを用いて露光を行うことによってウエハ上に転写されたレジストパターン２１である。例えば、ＫｒＦエキシマレーザによって露光を行うと、ウエハ上に転写されたレジストパターン２１は、形状Ｇおよび形状Ｈに示すような形状にそれぞれ転写される。欠陥である黒点Ａの存在によって、転写評価用マスクパターンに設計されたサイズよりも、少し太めのライン幅となる。転写評価用マスクパターンのマスクパターン間の間隔が小さくなるほど、レジストパターン２１の線幅は、転写評価用マスクパターンの線幅に対して大きく差が生じていく傾向にある。
【００８８】
図１１は、欠陥のサイズと欠陥の距離（パターンエッジからの欠陥の距離）との関係をグラフ化した図である。図１１中の距離ポイントＭは、元の設計パターン（転写評価用マスクパターン）に隣接していることを示している。そして、距離ポイントＭから距離ポイントＮまでの欠陥の距離の場合では、露光波長の約１/３の欠陥のサイズを境にして、「致命的な欠陥」と「そうでない欠陥」とにわかれる。つまり、露光波長の約１/３よりも大きい欠陥のサイズが「致命的欠陥」の領域Ｉとなり、露光波長の約１/３以下の欠陥のサイズが「そうでない欠陥」の領域Ｊとなる。そして、距離ポイントＮから距離ポイントＯまでの場合では、欠陥の距離が大きくなるのに比例して「致命的な欠陥」と「そうでない欠陥」とを分ける欠陥のサイズの大きさも大きくなっていく関係が成り立つ。また、距離ポイントＯは、露光波長の約１/２以下の欠陥のサイズであって、パターンエッジからの欠陥の距離が露光波長の約２倍の距離にある。距離ポイントＯよりもパターンエッジからの欠陥の距離が大きくなる場合、つまり露光波長の２倍よりも大きくなる場合には、露光波長の約１／２の欠陥のサイズを境にして、「致命的な欠陥」と「そうでない欠陥」とにわかれる。
【００８９】
また、欠陥のサイズと欠陥の距離との関係ごとに、ウエハ上に転写されるレジストパターン２１の評価を行うのと同様にして、欠陥のサイズと欠陥の密度との関係ごとに、ウエハ上に転写されるレジストパターン２１の評価も行う。また、欠陥の種類が白点Ｂ、ショートＣおよび断線Ｄの場合も黒点Ａの場合と同様にして欠陥のサイズと欠陥の距離との関係、および欠陥のサイズと欠陥の密度との関係を求める。
【００９０】
そして、図１１に示したような欠陥のサイズと欠陥の距離との関係、および欠陥のサイズと欠陥の密度との関係を、実際に作製されたフォトマスク５を用いる方法によって求める。そして、求めた結果を、マスクパターンの欠陥に対する修正が必要な「致命的欠陥」とマスクパターンの欠陥に対する修正が必要でない「そうでない欠陥」（マスクパターンの欠陥に対する修正の要否の情報）として、パターン情報、および欠陥の種類の情報などと対応付けてメモリ９に格納する。
【００９１】
次に、光シミュレーションを用いる方法によって、欠陥のサイズと欠陥の密度との関係ごとに、ウエハ上に転写されるパターンの評価を行う方法について、図１２〜図１５を用いて説明を行う。
【００９２】
図１３中の上部では、図７のマスク仕様書をもとにした転写評価用マスクパターンの黒点Ａの欠陥を示している。所定領域に、同一サイズの欠陥である黒点Ａが存在したものであって順番に欠陥の密度が振り分けられている。また、図１３中の下部では、振り分けられた欠陥の密度に対応した光シミュレーションでの光強度分布を示している。
【００９３】
欠陥の密度の一番低い箇所は、所定領域内に黒点Ａがない無欠陥の箇所となっているので、欠陥のない光透過領域のみのマスクパターンを用いて露光した際の光強度になっている。そして、欠陥の密度の一番低い箇所では、ウエハに実際にマスクパターンの転写を行った場合に、設計通りの寸法のレジストパターン２１が得られることになる。しかし、図１３に示すように、欠陥の密度が高くなるにつれて、光強度分布は小さくなる傾向にあり、所定ポイントを境に光強度分布は著しく乱れる。上記光強度分布の著しい乱れが、設計パターン２０と同一の形状のレジストパターン２１を得られない原因となっており、ウエハに実際にマスクパターンの転写を行った場合に、設計通りの寸法のレジストパターン２１が得られない原因となっている。なお、欠陥のない光透過領域のみのマスクパターンを用いて露光した際の光強度に対して、光強度が２／３以下となる黒点Ａの欠陥を、修正の必要な欠陥とする。
【００９４】
図１２は、欠陥同士が隣接して複数存在する状況下を欠陥の密度とし、欠陥のサイズと欠陥の密度との関係をグラフ化した図である。ここで言うところの隣接とは、光源２による露光波長×１以上かつ露光波長×３以下の距離に欠陥同士が存在していることを示す。図１２中の密度ポイントＰは、欠陥の密度が低い点を示している。この場合の欠陥の密度が低い点とは、所定領域内に収まる範囲の欠陥のサイズに限って、欠陥のサイズを考慮しなくても「致命的な欠陥」にならないだけ十分に密度が低い点のことを表している。密度ポイントＱは、密度ポイントＰでの光強度の約４/５の光強度を示す欠陥の密度を示す点である。密度ポイントＱは、上記所定ポイントのことであって、密度ポイントＱを境にして光強度分布が著しく乱れる。そして、密度ポイントＲは、欠陥の密度が高い点を示している。この場合の欠陥の密度が高い点とは、欠陥の密度を考慮しなくても「致命的な欠陥」にならないだけ十分に小さいサイズに欠陥のサイズが達する直前の時点での欠陥の密度のことを表している。図１２に示すように、「致命的欠陥」の領域Ｋと「そうでない欠陥」の領域Ｌは、密度ポイントＰと密度ポイントＱと密度ポイントＲとを結ぶ線を境界にして分けられる。
【００９５】
また、欠陥のサイズと欠陥の密度との関係ごとに、ウエハ上に転写されるレジストパターン２１の評価を行うのと同様にして、欠陥のサイズと欠陥の距離との関係ごとに、ウエハ上に転写されるレジストパターン２１の評価も行う。欠陥の種類がショートＣの場合には、図１４に示すように、欠陥のサイズと欠陥の密度との関係が、黒点Ａの場合と同様の傾向を示すので、黒点Ａの場合と同様にしてウエハ上に転写されるレジストパターン２１の評価を行う。なお、ショートＣの場合には欠陥のサイズと欠陥の距離との関係は一律になるので求めなくても構わない。
【００９６】
また、欠陥の種類が白点Ｂの場合は、欠陥の密度の一番低い箇所は、所定領域内に白点Ｂがない無欠陥の箇所となっているので、欠陥のない遮光領域のみのマスクパターンを用いて露光した際の光強度は０になっている。そして、欠陥の密度の一番低い箇所では、ウエハに実際にマスクパターンの転写を行った場合に、設計通りの寸法のレジストパターン２１が得られることになる。しかし、図１５に示すように、欠陥の密度が高くなるにつれて、光強度分布は大きくなる傾向にあるので、欠陥のサイズと欠陥の距離との関係、および欠陥のサイズと欠陥の密度の関係ごとにウエハ上に転写されるレジストパターン２１の評価を行う。なお、欠陥のない遮光領域のみのマスクパターンを用いて露光した際の光強度に対して、光強度が１／３以上となる白点Ｂの欠陥を、修正の必要な欠陥とする。欠陥の種類が断線Ｄの場合には、欠陥のサイズと欠陥の密度との関係が、白点Ｂの場合と同様の傾向を示すので、白点Ｂの場合と同様にしてウエハ上に転写されるレジストパターン２１の評価を行う。なお、断線Ｄの場合には欠陥のサイズと欠陥の距離との関係は一律になるので求めなくても構わない。
【００９７】
そして、図１２に示したような欠陥のサイズと欠陥の密度との関係、および欠陥のサイズと欠陥の距離との関係を、光シミュレーションを用いる方法によって求める。そして、求めた結果を、マスクパターンの欠陥に対する修正が必要な「致命的欠陥」とマスクパターンの欠陥に対する修正が必要でない「そうでない欠陥」（マスクパターンの欠陥に対する修正の要否の情報）として、パターン情報、および欠陥の種類の情報などと対応付けてメモリ９に格納する。
【００９８】
以上の構成によれば、欠陥検査装置８によってメモリ９を照会するだけで「致命的欠陥」と「そうでない欠陥」を判定することができるので、「致命的欠陥」のみを検出することも可能になる。
【００９９】
次に、図１６を用いて、本実施の形態における欠陥検査方法での動作フローについて説明を行う。
【０１００】
まず、ステップＳ２１では、パターン情報、欠陥情報、および欠陥の密度の情報を含むマスク仕様書に基づいて、光透過領域と遮光領域を有するフォトマスク５を作製する。また、フォトマスク５の遮光領域の作製に用いられる遮光膜は、光を透過しないバイナリーマスク、半透明膜のハーフートーンマスク、または他の位相シフトマスクであっても構わない。続いて、ステップＳ２２では、作製したフォトマスク５を用いて、上述の光シミュレーションを用いる方法、および／または上述の実際に作製されたフォトマスク５を用いる方法を行うことによって、パターン情報、欠陥情報、および欠陥の密度の情報とマスクパターンの欠陥に対する修正の要否の情報とを対応付けてメモリ９に格納する。
【０１０１】
ステップＳ２３では、欠陥検査装置８によって検出した欠陥情報のうちの欠陥の種類、欠陥のサイズ、欠陥の距離の情報とパターン情報とをもとにマスクパターンの欠陥に対する修正の要否の判定（第１の判定）を行う。続いて、ステップＳ２４では、検出した欠陥の密度の情報とパターン情報とをもとにマスクパターンの欠陥に対する修正の要否の判定（第２の判定）を行う。そして、ステップＳ２５では、第１の判定の結果と第２の判定の結果とをもとにマスクパターンの欠陥に対する修正の要否の判定（第３の判定）を行う。
【０１０２】
続いて、ステップＳ２６では、第３の判定の結果、マスクパターンの欠陥に対する修正が必要であった場合（ステップＳ２６でＹｅｓ）には、ステップＳ２７に移る。また、第３の判定の結果、マスクパターンの欠陥に対する修正が必要でなかった場合（ステップＳ２６でＮｏ）には、ステップＳ３０に移る。
【０１０３】
さらに、ステップＳ２７では、第３の判定の結果、マスクパターンの欠陥に対する修正が不可能であった場合（ステップＳ２７でＹｅｓ）には、ステップＳ２８に移る。また、第３の判定の結果、マスクパターンの欠陥に対する修正が不可能でなかった場合（ステップＳ２７でＮｏ）には、ステップＳ２９に移る。
【０１０４】
ステップＳ２８では、マスクパターンの欠陥に対する修正が不可能としてフォトマスク５を廃棄する。ステップＳ２９では、マスクパターンの欠陥に対する修正が可能としてフォトマスク５の欠陥に対して修正を行う。ステップＳ３０では、マスクパターンの欠陥に対する修正が必要ないものとしてフォトマスク５を出荷する。なお、ステップＳ２８でフォトマスク５の廃棄を行った後は、再度ステップＳ２１からフローを繰り返すことが好ましい。また、ステップＳ２９で修正を行ったフォトマスク５は、再度ステップＳ２３からフローを繰り返すことが好ましい。
【０１０５】
なお、本実施の形態においては、欠陥検査装置８はメモリ９を外部に備える構成になっているが、必ずしもこれに限定されず、例えば、メモリ９を内部に備える構成とすることも可能である。
【０１０６】
また、本実施の形態においては、メモリ９はパターン情報、欠陥情報および欠陥の密度の情報とマスクパターンの欠陥に対する修正の要否の情報とを対応付けて格納しているが、必ずしもこれに限定されない。例えば、パターン情報、欠陥情報および欠陥の密度の情報と所定の数値が対応付けられてメモリ９に格納されており、演算部１３には上記所定の数値の組み合わせとマスクパターンの欠陥に対する修正の要否の情報とを対応付けるプログラムが組み込まれているとする。この場合、パターン情報、欠陥情報および欠陥の密度の情報をもとに演算部１３はメモリ９に照会を行い、上記所定の数値を得る。そして、上記プログラムによってパターン情報、欠陥情報および欠陥の密度の情報に応じたマスクパターンの欠陥に対する修正の要否を判定する。また、上記所定の数値を用いて演算することによって得られる数値とマスクパターンの欠陥に対する修正の要否の情報とを対応付けるプログラムを演算部１３に組み込むことによって、マスクパターンの欠陥に対する修正の要否を判定する構成にしてもよい。
【０１０７】
なお、本実施の形態においては、演算部１３で判定したマスクパターンの欠陥に対する修正の要否の結果を表示部に出力する構成になっているが、必ずしもこれに限定されない。例えば、情報検出部１２でパターン情報、欠陥情報および欠陥の密度の情報とともに欠陥のフォトマスク５上の座標の情報も検出し、マスクパターンの欠陥に対する修正の要否の結果とともに上記座標の情報をもとに、フォトマスク５を修正する装置（修正手段）に対して、フォトマスク５に修正を行わせる指示を送る修正指示部（修正指示手段）をさらに備える構成であってもよい。この場合、マスクパターンの欠陥に対する修正の要否の結果および上記座標の情報は表示部に出力されてもよいし、出力されなくてもよい。そして、フォトマスク５を修正する装置は、上記座標の情報をもとにフォトマスク５の修正が必要と判定された欠陥に対して修正を行う。また、フォトマスク５を修正する装置は欠陥検査装置８とともに欠陥検査システム１を構成していてもよい。
【０１０８】
また、本実施の形態においては、パターン情報、欠陥情報および欠陥の密度の情報とマスクパターンの欠陥に対する修正の要否の情報とが対応付けられてメモリ９に格納されているが、必ずしもこれに限定されない。例えば、メモリ９は、露光波長の１／２以上のサイズのマスクパターンの欠陥を、修正の不可能な欠陥の情報として上記パターン情報および上記欠陥情報とに対応づけてさらに格納していてもよい。また、黒点ＡおよびショートＣについては、マスクパターンに接するものを修正の不可能な欠陥の情報として上記パターン情報および上記欠陥情報とに対応づけてさらに格納していてもよい。
【０１０９】
これにより、マスクパターンの欠陥に対する修正の要否だけでなく、修正が不可能であるかどうかを演算部１３が判定するので、修正が不可能な欠陥を、修正が必要な欠陥として判定することがなくなる。つまり、修正が不可能な欠陥を修正が必要な欠陥として判定することによって生じる、修正が不可能な欠陥に対しての修正の無駄を省くことを可能にする。よって、フォトマスク５の検査回数の低減、およびフォトマスクの修正回数の低減が可能となり、フォトマスク５作成期間の短縮が可能となる。また、フォトマスク５再作製の低減もなされるので、フォトマスク５作製での歩留まりも向上し、フォトマスク５作製のコスト削減も可能となる。
【０１１０】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１１】
最後に、欠陥検査装置８の各ブロック、特にデータ取得部１１、情報検出部１２、および演算部１３は、ハードウェアロジックによって構成してもよいし、次のようにＣＰＵを用いてソフトウェアによって実現してもよい。
【０１１２】
すなわち、欠陥検査装置８は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである欠陥検査装置８の制御プログラムのプログラムコード（実行形式プログラム、中間コードプログラム、ソースプログラム）をコンピュータで読み取り可能に記録した記録媒体を、欠陥検査装置８に供給し、そのコンピュータ（またはＣＰＵやＭＰＵ）が記録媒体に記録されているプログラムコードを読み出し実行することによっても、達成可能である。
【０１１３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１４】
また、欠陥検査装置８を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１５】
以上のように、本発明の欠陥検査装置、そのプログラムおよび記録媒体、欠陥検査システムならびに欠陥検査方法は、修正が必要なフォトマスクの欠陥を、正確かつ容易に検出することを可能にする。したがって、本発明は、フォトマスクを製造する産業分野、およびフォトマスクに関連する産業分野に好適に用いることができる。
【図面の簡単な説明】
【０１１６】
【図１】本発明における欠陥検査装置の機能ブロック図である。
【図２】上記欠陥検査装置における演算部の機能ブロック図である。
【図３】本発明における欠陥検査システムの概略的構成を示す図である。
【図４】上記欠陥検査装置の動作フローを説明するフローチャートである。
【図５】マスクパターンの欠陥による転写影響度を示す図である。
【図６】マスクパターンの欠陥の種類を示す図である。
【図７】欠陥が黒点である場合のマスク仕様書を示した図である。
【図８】欠陥がショートである場合のマスク仕様書を示した図である。
【図９】黒点の欠陥がある転写評価用マスクパターンを示した図である。
【図１０】上記転写評価用マスクパターンを用いて得られるレジストパターンを示す図である。
【図１１】欠陥のサイズとパターンエッジからの欠陥の距離とマスクパターンの欠陥の修正の要否との関係を示した図である。
【図１２】欠陥のサイズと欠陥の密度とマスクパターンの欠陥の修正の要否との関係を示した図である。
【図１３】黒点の欠陥の密度と転写影響度との関係を示す図である。
【図１４】ショートの欠陥の密度と転写影響度との関係を示す図である。
【図１５】白点の欠陥の密度と転写影響度との関係を示す図である。
【図１６】本発明における欠陥検査方法の動作フローを説明するフローチャートである。
【符号の説明】
【０１１７】
１    欠陥検査システム
２    光源
３    集光レンズ
４    ＸＹステージ
５    フォトマスク
６    対物レンズ
７    画像センサ
８    欠陥検査装置
９    メモリ（記憶手段）
９ａ  メモリ（記憶手段）
９ｂ  メモリ（記憶手段）
１１    データ取得部（取得手段）
１２    情報検出部（情報検出手段）
１２ａ  欠陥情報検出部
１２ｂ  密度情報検出部
１３    演算部（演算手段）
１３ａ  欠陥情報演算部（演算手段）
１３ｂ  密度情報演算部（演算手段）
１３ｃ  総合演算部（演算手段）
２０    設計パターン
２１    レジストパターン
３０    欠陥
３１ａ  領域
３１ｂ  領域
３２    領域
Ａ    黒点
Ｂ    白点
Ｃ    ショート
Ｄ    断線
Ｇ    形状
Ｈ    形状
Ｉ    「致命的欠陥」の領域
Ｊ    「そうでない欠陥」の領域
Ｋ    「致命的欠陥」の領域
Ｌ    「そうでない欠陥」の領域
【図１】
2007315811.tif 000003
【図２】
2007315811.tif 000004
【図３】
2007315811.tif 000005
【図４】
2007315811.tif 000006
【図５】
2007315811.tif 000007
【図６】
2007315811.tif 000008
【図７】
2007315811.tif 000009
【図８】
2007315811.tif 000010
【図９】
2007315811.tif 000011
【図１０】
2007315811.tif 000012
【図１１】
2007315811.tif 000013
【図１２】
2007315811.tif 000014
【図１３】
2007315811.tif 000015
【図１４】
2007315811.tif 000016
【図１５】
2007315811.tif 000017
【図１６】
2007315811.tif 000018